(57)【要約】【課題】アンテナ感度を高めると共に、三脚やアンテナロッドの使用用途を広げる。【解決手段】三脚固定部材１６に設けられた信号端子１８に接続するアンテナ線２２と、ボス１６ｂに接続するＧＮＤ線２３が感知部２５を介してチューナ２６に接続している。三脚の雄ネジ３７に設けられたアンテナ端子３９に接続するアンテナ線４６と、雄ネジ部３７ａに金属板４８を介して接続するＧＮＤ線４７は三脚の各脚に接続されている。雌ネジ１５と雄ネジ３７を螺合させてチューナ内蔵カメラに三脚を固定すると、信号端子１８とアンテナ端子３９が電気的に接続され、かつボス１６ｂと雄ネジ部３７ａが電気的に接続されるため、アンテナ線４６が接続された三脚の脚がアンテナとなる。【選択図】        図４
2004236007.tif 000002
【特許請求の範囲】
【請求項１】
チューナ内蔵カメラに取り付けられた際に、導電性の三本の脚のうち少なくとも一本の脚がチューナと接続されたアンテナ線と電気的に接続され、かつアンテナ線が接続された脚はそれ以外の脚と絶縁されており、前記アンテナ線が接続された脚がアンテナとなることを特徴とする三脚。
【請求項２】
カメラ本体内に内蔵されたチューナと、カメラ本体にそれぞれ一方の端部を回動自在に固定された三本のロッドとを備え、前記三本のロッドのうち少なくとも一本はロッドアンテナであって、前記三本のロッドの他方の端部をそれぞれ離間するように回動させることによって前記三本のロッドが三脚となることを特徴とするチューナ内蔵カメラ。
【請求項３】
前記三本のロッドを回動させる操作力量が前記カメラの自重以上であることを特徴とする請求項２記載のチューナ内蔵カメラ。
【請求項４】
前記カメラのレリーズボタンの直下付近に前記三本のロッドの一端部を回動自在に固定したことを特徴とする請求項２または３記載のチューナ内蔵カメラ。
【請求項５】
前記ロッドアンテナの回動位置を検知して、カメラのモード切替を自動的に行うモード切替手段を備えたことを特徴とする請求項２ないし４いずれか記載のチューナ内蔵カメラ。
【発明の詳細な説明】
【０００１】
【発明の属する技術分野】
本発明は、チューナ内蔵カメラと、このカメラに使用される三脚に関するものである。
【０００２】
【従来の技術】
近年、ＣＣＤイメージセンサで撮影した画像をメモリーカードに記録させるとともに、その場で液晶画面に再生表示させて確認することができるデジタルカメラが普及している。そして、これらのデジタルカメラは多機能化も図られており、例えば、テレビチューナをデジタルカメラに接続することで液晶画面にテレビ画像を表示させて鑑賞できるものもある。更に、携帯性や利便性を向上させるためにテレビチューナをカメラ本体に内蔵させ、収納性に優れている小型のロッドアンテナを備えたデジタルカメラもある。
【０００３】
また、デジタルカメラで各種撮影操作を行う際には、デジタルカメラを手で把持して撮影することが多いが、セルフタイマー撮影や長時間露光撮影を行う際には三脚を使用する必要がある。そのため、撮影者は三脚を携帯して撮影に出かけている。
【０００４】
【発明が解決しようとする課題】
しかしながら、上記したように小型のロッドアンテナでは、アンテナとして高い感度を得ることができず、テレビ画像を鑑賞するための必要な受信状態を得ることが難しいといった問題があった。また、三脚を携帯していても限られた撮影操作を行う場合にしか使用しないため、せっかく三脚を携帯していても使用頻度が少なく携帯することを煩わしく感じる問題もあった。
【０００５】
本発明は、上記問題を解決するために、アンテナ感度を高めると共に、カメラ本体に設けられているロッドアンテナや着脱可能な三脚の使用用途を広げることを目的とする。
【０００６】
【課題を解決するための手段】
チューナ内蔵カメラに取り付けられた際に、導電性の三本の脚のうち少なくとも一本の脚がチューナと接続されているアンテナ線と電気的に接続され、かつアンテナ線が接続された脚とそれ以外の脚とが絶縁されており、アンテナ線が接続された脚がアンテナとなるものである。
【０００７】
カメラ本体内に内蔵されたチューナと、カメラ本体にそれぞれ一方の端部を回動自在に固定された三本のロッドとを備え、三本のロッドのうち少なくとも一本はロッドアンテナであって、三本のロッドの他方の端部をそれぞれ離間するように回動させることによって三本のロッドが三脚となるものである。
【０００８】
三本のロッドを回動させる操作力量がカメラの自重以上であることを特徴とするものである。
【０００９】
カメラのレリーズボタンの直下付近に三本のロッドの一端部を回動自在に固定したものである。
【００１０】
ロッドアンテナの回動位置を検知して、カメラのモード切替を自動的に行うモード切替手段を備えたものである。
【００１１】
【発明の実施の形態】
本発明を用いたチューナ内蔵カメラの一実施形態を説明する。図１はチューナ内蔵カメラの背面下側からの外観斜視図である。チューナ内蔵カメラ２はデジタルカメラのカメラ本体３内にアンテナとテレビチューナが一体に内蔵されている。図示しないが、チューナ内蔵カメラ２の前面には、撮影レンズ、ストロボ発光部、対物側ファインダ窓等が設けられている。側面には、撮影により生成された画像データを記録するメモリーカードがセットされるカードスロットが設けられており、上面には撮影時に押圧されるレリーズボタンが設けられている。
【００１２】
チューナ内蔵カメラ２の背面には、接眼側ファインダ窓６、十字ボタン７、液晶表示部８、メニューボタン９、決定／キャンセルボタン１０、とチューナ内蔵カメラ２の各種操作及び設定を行う各種操作部１１が設けられている。ユーザはメニューボタン９の押圧によって、撮影モード、再生モード、テレビモード等が選択できる。チューナ内蔵カメラ２で撮影モード及び再生モードが選択された際には、液晶表示部８にはＣＣＤイメージセンサによって撮像されたスルー画像やメモリーカードに記録されている撮影画像を再生表示する。テレビモードが選択されると、内蔵されているアンテナで受信したテレビ電波から指定されたテレビ電波周波数帯をチューナで抽出して、映像信号を出力させてテレビ画像を液晶表示部８に表示させる。
【００１３】
チューナ内蔵カメラ２の底面には三脚用の雌ネジ１５が設けられている。図２にも示すように、三脚固定部材１６は底板１６ａ、ボス１６ｂ、雌ネジ１５、信号端子１８、絶縁部材１９から構成されている。底板１６ａの中央にボス１６ｂが一体で設けられており、底板１６ａとボス１６ｂには雌ネジ１５が形成されている。ボス１６ｂの上面からは信号端子１８が突出して備えられており、ボス１６ｂと信号端子１８とは絶縁部材１９によって絶縁されて固定されている。三脚固定部材１６は、カメラ本体３に設けられた開口部１４から雌ネジ１５を露呈させてビス１７によってカメラ本体３と固定されている。
【００１４】
そして、ボス１６ｂの上面から突出している信号端子１８の端部にはアンテナ線２２が電気的に接続されている。そして、ボス１６ｂにはＧＮＤ線２３が電気的に接続されており、アンテナ線２２とＧＮＤ線２３はカメラ本体３内で感知部２５を介してチューナ２６に接続されている。感知部２５は、アンテナ線２２とＧＮＤ線２３が短絡しているか否かを感知する。もし、アンテナ線２２とＧＮＤ線２３が短絡すると感知部２５はチューナ内蔵カメラ２のＣＰＵ２７に信号を送り、ＣＰＵ２７はカメラのモード設定を自動的に撮影モードにする。なお、自動的に撮影モードにする代わりに、液晶表示８に撮影モードへの設定を促す案内表示を表示させてもよい。
【００１５】
図３には、チューナ内蔵カメラ２のアンテナとなる三脚の外観斜視図を示す。三脚３０は絶縁部材で形成された基台３１に金属製の脚３２〜３４の一方の端部が回動自在に固定されている。そして、基台３１の上部には導電性部材で形成された有底円筒形状の雲台３５が設けられている。カメラ本体３の三脚用の雌ネジ１５に螺合させる雄ネジ３７は、雲台３５の底面からは上方に向かって突出して設けられている。
【００１６】
図４にも示すように、雄ネジ３７は雄ネジ部３７ａ  、ハンドル３８、アンテナ端子３９、絶縁部材４０から構成されている。アンテナ端子３９は、一方の端部を雄ネジ３７の端面４２から突出させて、他方の端部は雄ネジ部３７ａ  内に収まるように延設されている。そして、雄ネジ部３７ａ  とアンテナ端子３９は絶縁部材４０によって絶縁されて固定されている。雄ネジ３７の内部に配置されたアンテナ端子３９の他方の端部には回動自在のピン４５が設けられており、ピン４５の一端部にはアンテナ線４６が接続されている。したがって、雄ネジが回されてもアンテナ線が捩れることはない。雲台３５に設けられた突起部３５ａ  には金属板４８が固定されている。金属板４８の一方の端部は雄ネジ部３７ａ  の側面に接触している。そして、他方の端部にはＧＮＤ線４７が接続されていて、雄ネジ３７とＧＮＤ線４７とを電気的に接続している。
【００１７】
図５にも示すように、アンテナ端子３９に接続されたアンテナ線４６と金属板４８に接続されたＧＮＤ線４７は、ともに基台３１内を通って三脚３０のそれぞれの脚３２〜３４と電気的に接続している。なお、アンテナ線４６が接続された脚３３とＧＮＤ線４７の接続された脚３２、３４とは絶縁されている。
【００１８】
三脚３０をカメラ本体３に固定させる場合は、カメラ本体３と雲台３５の上面が接触するまで、雲台３５の側面に設けられた開口部３５ａ  から雄ネジ３７のハンドル３８を回転させて雌ネジ１５に螺合させる。すると、雄ネジ部３７ａ  の端面４２から突出しているアンテナ端子３９と、ボス１６ｂに設けられた信号端子１８とが接触するので、信号端子１８に接続されたアンテナ線はアンテナ端子３９に接続されたアンテナ線４６と電気的に動通する。また、雄ネジ部３７ａ  と雌ネジ部１５ａ  が螺合しているので、雌ネジ１５に接続されたＧＮＤ線２３は金属板４８を介して雄ネジ３７に接続されたＧＮＤ線４７と電気的に動通する。
【００１９】
図６に示すように、チューナ内蔵カメラ２でテレビ画像を鑑賞する場合は、基台３１とＧＮＤ線４７が接続された三脚３０の脚３２、３４とでチューナ内蔵カメラ２を保持しており、アンテナ線４６が接続されている三脚３０の脚３３を回動させて受信感度の高い位置で固定する。なお、アンテナ線４６が接続されている三脚３０の脚３３は、脚３３の自重によって回動しない程度の操作力量を有している。
【００２０】
また、三脚３０の脚３２〜３４にアンテナ線４６やＧＮＤ線４７が接続されていない通常の三脚をチューナ内蔵カメラ２へ取り付けた場合では、図７に示すように、三脚の雄ネジ４３が金属で形成されているので、三脚取付部材１６の信号端子１８と雌ネジ１５が接触するのでアンテナ線２２とボス１６ｂのＧＮＤ線２３が短絡する。すると、感知部２５がアンテナ線２２とＧＮＤ線２３が短絡したことを感知して信号をチューナ内蔵カメラ２のＣＰＵ２７に送りる。ＣＰＵ２７はこの信号を受けて自動的に撮影モードへモード切替を行う。
【００２１】
上記実施例の作用について説明する。チューナ内蔵カメラ２に三脚３０を取り付けると、三脚固定部材１６の信号端子１８と三脚３０の雄ネジ３７のアンテナ端子３９とが接触して電気的に動通すると共に、ボス１６ｂのＧＮＤ線２３とＧＮＤ線４７が雄ネジ部３７ａ  介して電気的に動通される。三脚３０に取り付けられたチューナ内蔵カメラ２で、セルフタイマ撮影や長時間露光撮影を行う際には、三脚３０の脚３２〜３４を適度に開いてチューナ内蔵カメラ２を被写体に向けて固定し撮影を行う。また、チューナ内蔵カメラ２でテレビ画像を鑑賞する場合は、メニューボタン９でテレビモードを選択する。そして図６に示すように、基台３１とＧＮＤ線４７が接続されている脚３２、３４によってチューナ内蔵カメラ２の保持を行う。そして、アンテナ線４６が接続されている脚３３を電波の受信感度の高い位置へ回動させて固定する。したがって、アンテナが長くなりアンテナ感度が高くなったことで良好なテレビ画像を観賞することができる。
【００２２】
本発明の別の実施形態について説明する。図８に本発明を用いたチューナ内蔵カメラ５０の背面斜視図を示す。なお、図１で説明したチューナ内蔵カメラ２と同じ構成のものは同符号を用いて説明は省略する。チューナ内蔵カメラ５０の上面に設けられたレリーズボタン５３側の側面には、ロッドアンテナ５５とこのロッドアンテナ５５と同形状の二本のロッド５６，５７が、カメラ本体に設けられた収納スペース５４に備えられている。ロッドアンテナ５５及びロッド５６，５７は、直径の異なる三本の金属製の円筒部材から構成された伸縮管式の伸縮ロッドであって、外側の外筒から内筒を順次引き出して、固定することにより伸長できるものである。
【００２３】
更に、ロッドアンテナ５５及びロッド５６，５７はカメラ本体５１の側面下部に一方の端部がヒンジ部６０に回動自在に固定されている。そのため、テレビモードの際にはロッドアンテナ５５を回動させて収納スペース５４から出し、ロッドアンテナ５５を引き伸ばしてテレビの電波を受信するアンテナとなる。また、チューナ内蔵カメラでセルフタイマ撮影や長時間露光撮影を行う場合には、ロッドアンテナ５５とロッド５６，５７をチューナ内蔵カメラ５０の底面より下方へ回動させて、ロッドアンテナ５５とロッド５６，５７を互い違いに開くことで三脚となる。通常の撮影では、ロッドアンテナ５５とロッド５６，５７を収納スペース５４に収納したままチューナ内蔵カメラ２を把持して撮影を行う。なお、ロッドアンテナ５５は、チューナ内臓カメラ５０を保持できる三脚の脚となるので、十分な長さと大きさを有しておりアンテナ感度を高くすることができる。
【００２４】
また、カメラ本体５１内部のヒンジ部６０では、ロッドアンテナ５５の回動位置を検知するための検知手段としてマイクロスイッチ６１が設けられている。ロッドアンテナ５５のヒンジ部６０には、ロッドアンテナ５５と共に回動する突起部５５ａが設けられている。ロッドアンテナ５５の先端がチューナ内蔵カメラ５０の底面よりも下側に回動されると、ロッドアンテナ５５と共に回動した突起部５５ａがマイクロスイッチ６１をオンにする。すると、マイクロスイッチ６１はロッドアンテナ５５の先端がカメラ本体５１の底面よりも下側に回動されたことを感知して、カメラ本体５１内のＣＰＵに信号を送くる。この信号をＣＰＵが受信するとチューナ内蔵カメラ５０は自動的に撮影モードに切り替わる。
【００２５】
上記作用について説明する。図９に示すように、チューナ内蔵カメラ５０でテレビ画像を観賞する際には、カメラ本体５１の側面に設けられた収納スペース５４からロッドアンテナ５５を回動させて出す。そして、ロッドアンテナ５５を引き伸ばして長さを調節すると共に、アンテナ感度の一番高い位置へ回動させて固定する。これにより、液晶表示部８には良好なテレビ画像を表示することができる。なお、ロッドアンテナ５５をアンテナとして使用する場合に、ロッド５６，５７の長手方向がチューナ内臓カメラ５０の長手方向と略平行となるように、ロッド５６，５７を回動させることでチューナ内臓カメラ５０の転倒防止を行ってもよい。
【００２６】
図１０に示すように、チューナ内蔵カメラ５０でセルフタイマ撮影や長時間露光撮影を行う場合は、ロッドアンテナ５５とロッド５６，５７をチューナ内蔵カメラ５０の底面より下側まで回動させて、ロッドアンテナ５５とロッド５６，５７を互い違いに開くことで三脚として使用することができる。なお、ロッドアンテナ５５とロッド５６，５７を回動させる操作力量は、チューナ内蔵カメラ５０の自重よりも大きな力が必要なため、ロッドアンテナ５５とロッド５６，５７が勝手に開閉することはない。
【００２７】
なお本実施例ではチューナ内蔵カメラ５０にロッドアンテナを一本設けたが、これに限らず、二本または三本のロッドアンテナを設けてもよい。
【００２８】
なお、本実施例では、テレビのチューナをデジタルカメラに内蔵させたが、ＡＭやＦＭラジオのチューナを内蔵させてもよい。、
【００２９】
【発明の効果】
以上のように、本発明によれば、チューナ内蔵カメラの三脚が取り付けられた際に、チューナに接続されたアンテナ線が三脚の脚に電気的に接続されることによって、三脚としてだけでなくアンテナとしても使用することがで使用用途を広げることができる。またアンテナが長くなるためにアンテナ感度を高くすることができる。
【００３０】
また、チューナ内臓カメラに設けられたロッドの一本がロッドアンテナであるので、アンテナとして使用することでアンテナ感度を高くすることができると共に、ロッドアンテナとロッドを離間して回動させることで、三脚としても使用することができ、ロッドアンテナの使用用途を広げることができる。
【図面の簡単な説明】
【図１】本発明を用いたチューナ内蔵カメラの下方からの斜視図である。
【図２】三脚固定部材の断面図である。
【図３】本発明を用いた三脚の斜視図である。
【図４】三脚をチューナ内蔵カメラに取り付けた時の断面図である。
【図５】アンテナ線とＧＮＤ線が三脚の脚に接続されている説明図である。
【図６】三脚の脚をアンテナとして使用する説明図である。
【図７】通常の三脚をチューナ内蔵カメラに取り付けたときの断面図である。
【図８】ロッドアンテナが一体に設けられたチューナ内蔵カメラの外観斜視図である。
【図９】テレビモードの時のロッドアンテナの使用例である。
【図１０】ロッドアンテナを三脚として使用する説明図である。
【符号の説明】
２  チューナ内蔵カメラ
８  液晶表示部
１５  雌ネジ
１６  三脚固定部材
１８  信号端子
２２  アンテナ線
２３  ＧＮＤ線
２５  感知部
２６  チューナ
３０  三脚
３７  雄ネジ
３９  アンテナ端子
５５  ロッドアンテナ
６０  ヒンジ部
６１  マイクロスイッチ
【図１】
2004236007.tif 000003
【図２】
2004236007.tif 000004
【図３】
2004236007.tif 000005
【図４】
2004236007.tif 000006
【図５】
2004236007.tif 000007
【図６】
2004236007.tif 000008
【図７】
2004236007.tif 000009
【図８】
2004236007.tif 000010
【図９】
2004236007.tif 000011
【図１０】
2004236007.tif 000012